(57)【要約】【課題】装飾図柄表示器の視認性が低下することを防止すること。【解決手段】透明な遊技盤にスペーサを介して装飾図柄表示器を背負わせる構成のパチンコ遊技機において、遊技盤とスペーサと装飾図柄表示器で囲まれた閉鎖空間１４３の外部から閉鎖空間１４３の内部を通って閉鎖空間１４３の外部に流れる換気流を生成する換気装置１５０を設けた。このため、装飾図柄表示器で発生する熱が換気流に乗って閉鎖空間１４３の内部から外部に排出されるので、遊技盤３０の後面で結露が発生し難くなる。しかも、閉鎖空間１４３の内部に侵入する埃が換気流に乗って閉鎖空間１４３の内部から外部に排出されるので、装飾図柄表示器の表示画面に埃が付着し難くなる。従って、装飾図柄表示器の視認性が結露の影響および埃の影響で低下することが共に防止される。【選択図】図５
2007190246.tif 000002
【特許請求の範囲】
【請求項１】
透光性の遊技盤と、
前記遊技盤の後方に設けられ、大当りおよび外れを識別するための識別図柄が表示される表示画面を有する図柄表示器と、
前記遊技盤と前記図柄表示器との間に設けられ、前記図柄表示器の表示画面を取囲む枠状をなす枠部材と、
ファンおよびファンを回転操作するファンモータを有する換気装置とを備え、
前記遊技盤と前記図柄表示器と前記枠部材の３部材は、前記遊技盤と前記図柄表示器と前記枠部材との間に３部材で囲まれた閉鎖空間が形成されるように相互に接合され、
前記換気装置は、前記閉鎖空間の外部から前記閉鎖空間の内部を通って前記閉鎖空間の外部に流れる換気流を生成するものであることを特徴とするパチンコ遊技機。
【請求項２】
前記閉鎖空間の内部の温度を検出する内気温センサと、
前記遊技盤の前方に前記遊技盤に対して離間して設けられた透光性の窓と、
前記遊技盤および前記窓相互間の空間部に設けられ、前記閉鎖空間の外部の温度を検出する外気温センサと、
前記内気温センサの検出結果および前記外気温センサの検出結果の双方に基づいて前記ファンモータを運転制御する制御手段と
を備えたことを特徴とする請求項１に記載のパチンコ遊技機。
【請求項３】
前記ファンが収納されたものであって、前記閉鎖空間の内部から空気を吸引する吸気通路および吸気通路を通して吸引した空気を前記閉鎖空間の外部に排出する排気通路を有するケーシングと、
前記閉鎖空間の外部の空気を内外の圧力差で前記閉鎖空間の内部に取込む換気口とを備え、
前記枠部材は、前記図柄表示器の表示画面の下端面に沿って横方向へ延びる下横部と前記図柄表示器の表示画面の左側面に沿って縦方向へ延びる左縦部と前記図柄表示器の表示画面の右側面に沿って縦方向へ延びる右縦部と前記図柄表示器の表示画面の上端面に沿って横方向へ延びる上横部を有するものであり、
前記ケーシングは、前記枠部材の左縦部および右縦部のうちの一方に設けられ、
前記換気口は、前記枠部材の左縦部および右縦部のうちの他方に設けられていることを特徴とする請求項１〜２のいずれかに記載のパチンコ遊技機。
【発明の詳細な説明】
【技術分野】
【０００１】
本発明は、透光性の遊技盤を備えたパチンコ遊技機に関する。
【背景技術】
【０００２】
上記パチンコ遊技機には遊技盤の後方に図柄表示器を配置し、前方から遊技盤を通して図柄表示器の表示内容を視認できるように構成したものがある。この構成の場合、図柄表示器と遊技盤との間に枠部材を介在し、図柄表示器で発生する熱が遊技盤側へ伝わることを枠部材によって抑えているので、遊技盤と図柄表示器と枠部材との間に遊技盤と図柄表示器と枠部材の３部材で囲まれた閉鎖空間が形成されている。
【特許文献１】特開２００５−１５２５７９号公報
【発明の開示】
【発明が解決しようとする課題】
【０００３】
上記パチンコ遊技機の場合、閉鎖空間の内気が図柄表示器で発生する熱によって加熱されることに基づいて閉鎖空間の外気に比べて大きく昇温する。このため、遊技盤の後面（閉鎖空間の内部に位置する一面）で結露が発生するので、図柄表示器の視認性が結露の影響で低下する虞れがある。特に図柄表示器を枠部材に密着して接合すると共に枠部材を遊技盤に密着して接合する構成では閉鎖空間の密閉度が高まるので、結露の発生も顕著になる。この結露は閉鎖空間を外部に通気口を介して開放することである程度解消できる。しかしながら、閉鎖空間を単に開放したときには多量の埃が通気口から閉鎖空間に侵入して図柄表示器の表示画面に付着するので、図柄表示器の視認性が埃の影響で低下する虞れがある。特に図柄表示器を枠部材に密着して接合すると共に枠部材を遊技盤に密着して接合する構成では図柄表示器を取外して表示画面を清掃することが困難であるので、表示画面に埃が付着することは大きな問題である。
【０００４】
本発明は上記事情に鑑みてなされたものであり、その目的は、図柄表示器の視認性が低下することを抑えることが可能なパチンコ遊技機を提供することにある。
【課題を解決するための手段】
【０００５】
＜請求項１記載のパチンコ遊技機の説明＞
請求項１記載のパチンコ遊技機は［１］遊技盤〜［４］換気装置を備えたものである。
［１］遊技盤は光を透過することが可能な透光性を有するものであり、図２の符号３０は遊技盤の一例である。
［２］図柄表示器は大当りおよび外れを識別するための識別図柄が表示される表示画面を有するものであり、遊技盤の後方に設けられている。図３の装飾図柄表示器１３０は図柄表示器の一例である。図３の符号１３１は装飾図柄表示器１３０の表示画面であり、表示画面１３１に表示される装飾図柄は識別図柄に相当する。
［３］枠部材は図柄表示器の表示画面を取囲む枠状をなすものであり、遊技盤と図柄表示器との間に設けられている。これら枠部材と遊技盤と図柄表示器の３部材は相互に接合されたものであり、遊技盤には図柄表示器が枠部材を介して背負わせる形態で固定され、遊技盤と図柄表示器と枠部材との間には３部材で囲まれた閉鎖空間が形成されている。図５の符号１４３は閉鎖空間の一例であり、図２のスペーサ１６０は枠部材の一例である。このスペーサ１６０は第１の枠部材に相当する裏樋６０および第２の枠部材に相当する液晶ステー８０を相互に接合することから構成されている。
［４］換気装置はファンおよびファンを回転操作するファンモータを有するものであり、閉鎖空間の外部から閉鎖空間の内部を通って閉鎖空間の外部に流れる換気流を生成する。このため、図柄表示器で発生する熱が換気流に乗って閉鎖空間の内部から外部に排出されるので、遊技盤の後面で結露が発生し難くなる。しかも、閉鎖空間の内部に侵入する埃が換気流に乗って閉鎖空間の内部から外部に排出されるので、図柄表示器の表示画面に埃が付着し難くなる。従って、図柄表示器の視認性が結露の影響および埃の影響で低下することが共に防止される。図５の符号１５０は換気装置の一例であり、換気装置１５０はファン１４９およびファンモータ１４７を有している。
＜請求項２記載のパチンコ遊技機の説明＞
請求項２記載のパチンコ遊技機は［１１］内気温センサ〜［１４］制御手段を備えたものである。
［１１］内気温センサは閉鎖空間の内部の温度を検出するものであり、図７の符号１５１は内気温センサの一例である。  
［１２］窓は遊技盤の前方に遊技盤に対して離間して設けられたものであり、透光性を有している。図１のガラス窓１７は窓の一例である。
［１３］外気温センサは遊技盤および窓相互間の空間部に設けられたものであり、閉鎖空間の外部の温度を検出するものである。図７の符号１５２は外気温センサの一例である。
［１４］制御手段は内気温センサの検出結果および外気温センサの検出結果の双方に基づいてファンモータを運転制御するものである。このため、閉鎖空間の内気温を結露が発生しない温度帯域に自動的に調節することができるので、ファンモータを手動操作でオンオフすることに基づいて閉鎖空間の内気温を結露が発生しない温度帯域に調節する手間が不要になる。図７のモータ制御装置１５３は制御手段の一例であり、「内気温Ｔｉ―外気温Ｔｏ≧基準値Ｔｂ」を検出することに基づいてファンモータ１４７を自動的にオンし、「内気温Ｔｉ―外気温Ｔｏ＜基準値Ｔｂ」を検出することに基づいてファンモータ１４７を自動的にオフする。
＜請求項３記載のパチンコ遊技機の説明＞
請求項３記載のパチンコ遊技機は［２１］ケーシングおよび［２２］換気口を備えたところに特徴を有する。
［２１］ケーシングはファンが収納されたものであり、閉鎖空間の内部から空気を吸引する吸気通路および吸気通路を通して吸引した空気を閉鎖空間の外部に排出する排気通路を有している。このケーシングは枠部材の左縦部および枠部材の右縦部のうちの一方に設けられている。この枠部材は下横部と左縦部と右縦部と上横部を有するものであり、下横部は図柄表示器の表示画面の下端面に沿って横方向へ延びる部分を称し、左縦部は図柄表示器の表示画面の左側面に沿って縦方向へ延びる部分を称し、右縦部は図柄表示器の表示画面の右側面に沿って縦方向へ延びる部分を称し、上横部は図柄表示器の表示画面の上端面に沿って横方向へ延びる部分を称する。図３の符号１６１は下横部の一例であり、下横部１６１は裏樋６０の下部裏樋６１および液晶ステー８０の下部ステー８１から構成されている。図３の符号１６２は左縦部の一例であり、左縦部１６２は裏樋６０の左部裏樋６２および液晶ステー８０の左部ステー８２から構成されている。図３の符号１６３は右縦部の一例であり、右縦部１６３は裏樋６０の右部裏樋６３および液晶ステー８０の右部ステー８３から構成されている。図３の符号１６４は上横部の一例であり、上横部１６４は裏樋６０の上部裏樋６４および液晶ステー８０の上部ステー８４から構成されている。図５の符号１４１はケーシングの一例であり、図５の吸気溝部１４２はケーシング１４１の吸気通路に相当し、図５の排気溝部１４４はケーシング１４１の排気通路に相当する。このケーシング１４１は枠部材１６０の右縦部１６３に設けられている。
［２２］換気口は閉鎖空間の外部の空気を内外の圧力差で閉鎖空間の内部に取込むものであり、枠部材の左縦部および枠部材の右縦部のうちケーシングとは反対側の他方に設けられている。このため、換気口から排気口に至る空気の流通経路が直線的になるので、換気流の流れが円滑になる。図６の換気溝部１４５は換気口の一例であり、枠部材１６０の左縦部１６２に設けられている。
【発明を実施するための最良の形態】
【０００６】
【実施例１】
【０００７】
図１の外枠１はパチンコホールの台島に設置されるものであり、前後面が開口する四角筒状をなしている。この外枠１には内枠２が左側辺部の垂直な軸を中心に回動可能に装着されている。この内枠２は外枠１の前端面に接触する閉鎖状態および外枠１の前端面から前方へ離間する開放状態に相互に回動操作されるものであり、図１は内枠２を閉鎖状態で示している。この内枠２は、図２に示すように、前後面が開口する四角筒状をなすものであり、内枠２の下端部にはレール台３が形成され、内枠２の内部にはレール台３の上方に位置して遊技盤収納部４が形成されている。レール台３は発射レールが固定されるものであり、遊技盤収納部４は内枠２の内部空間のうちレール台３の残余部分を称する。この内枠２には４個の支え部５が形成されている。これら各支え部５は遊技盤収納部４内に突出する板状をなすものであり、上方の２個の支え部５のそれぞれにはＬ字状のストッパ６が前後方向へ延びる軸７を中心に回動可能に装着され、下方の２個の支え部５のそれぞれにはＬ字状のストッパ８が静止状態で固定されている。
【０００８】
内枠２には、図１に示すように、下端部に位置して横長な長方形状の下皿板９が固定されており、下皿板９には上面が開口する下皿１０が固定されている。この下皿板９の上方には上皿板１１が配置されており、上皿板１１には上面が開口する上皿１２が固定されている。この上皿板１１は横長な長方形状をなすものであり、内枠２に左側辺部の垂直な軸を中心に回動可能に装着されている。この上皿板１１は内枠２の前端面に接触する閉鎖状態および内枠２の前端面から前方へ離間する開放状態に相互に回動操作されるものであり、図１は上皿板１１を閉鎖状態で示している。
【０００９】
下皿板９の前面には右端部に位置してハンドル台１３が固定されており、ハンドル台１３には発射ハンドル１４が前後方向へ延びる軸を中心に回動可能に装着されている。この発射ハンドル１４の後方には発射モータが固定されており、発射ハンドル１４が回動操作されたときには発射モータに駆動電源が与えられ、発射モータの回転軸が一定方向へ一定速度で回転する。この発射モータの回転軸には、図２に示すように、発射装置１５が連結されている。この発射装置１５はレール台３に装着されたものであり、打球槌および駆動機構を有している。この駆動機構は発射モータの回転力を駆動源として打球槌を操作するものであり、打球槌は駆動機構によって操作されることに基づいて上皿１２内から供給される遊技球を叩き、遊技球を発射レールに沿って発射する。
【００１０】
内枠２には、図１に示すように、窓枠１６が左側部の垂直な軸を中心に回動可能に装着されている。この窓枠１６は内枠２の前端面に接触する閉鎖状態および内枠２の前端面から前方へ離間する開放状態に相互に回動操作されるものであり、図１は窓枠１６を閉鎖状態で示している。この窓枠１６は円形孔状の窓部を有するものであり、窓部の内周面には透明なガラス窓１７が固定されている。このガラス窓１７は窓に相当するものである。
【００１１】
内枠２の遊技盤収納部４には、図２に示すように、遊技盤ユニット２０が着脱可能に収納されている。この遊技盤ユニット２０は、図３に示すように、遊技盤３０と裏樋６０と液晶ステー８０と下意匠板９０と上意匠板１００と裏樋カバー１１０と表示器ケース１２０と装飾図柄表示器１３０と換気機構１４０（図５参照）を有するものであり、遊技盤３０〜換気機構１４０の詳細構成は次の通りである。
１．遊技盤３０の説明
遊技盤３０は透明な合成樹脂（例えばポリカーボネートあるいはアクリルあるいはアクリルにゴムを混ぜた材質）の板からなるものであり、ガラス窓１７は閉鎖状態で遊技盤３０の前方に遊技盤３０に対して離間して配置される。この遊技盤３０の前面には、図４に示すように、外レール３１および内レール３２が固定されている。これら外レール３１と内レール３２との間には発射通路３３が形成されている。この発射通路３３は遊技盤３０の左端部に位置する円弧状の空間部を称するものであり、発射装置１５が発射した遊技球は発射レールから発射通路３３内に発射通路３３の入口３４から侵入し、発射通路３３に沿って円弧状の軌跡を描きながら上昇した後に発射通路３３の出口３５から放出される。
【００１２】
遊技盤３０の前面には右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域のうち発射通路３３を除く円形状をなすものである。この遊技領域３７は発射通路３３の出口３５から放出された遊技球が転動可能な最大範囲である転動領域に相当するものであり、遊技領域３７内には複数の釘３８が固定されている。    
【００１３】
遊技盤３０の前面には飾りレール３９が固定されている。この飾りレール３９は遊技領域３７内に配置されたものであり、飾りレール３９と外レール３１との間には球通路４０が形成され、飾りレール３９と内レール３２との間には球通路４１が形成されている。これら球通路４０および球通路４１のそれぞれは遊技領域３７内に放出された遊技球が転動可能なものであり、上方の球通路４０は左方の球通路４１に比べて幅狭に設定されている。遊技盤３０の前面には遊技領域３７の外部に位置して銘板台５３が固定されている。この銘板台５３の前面にはシールが貼付されており、シールには機種名・製造社名・大当り確率・賞品球の払出し個数が記入されている。
【００１４】
遊技盤３０には遊技領域３７内に位置して電動始動装置４２が固定されている。この電動始動装置４２は上始動口４３および下始動口４４を上下２段に有するものであり、上始動口４３および下始動口４４のそれぞれは上面が開口するポケット状をなしている。これら上始動口４３内および下始動口４４内のそれぞれには始動口センサが装着されており、上始動口４３内の始動口センサは遊技球が上始動口４３内に入賞したことを検出して始動信号を出力し、下始動口４４内の始動口センサは遊技球が下始動口４４内に入賞したことを検出して始動信号を出力する。
【００１５】
下始動口４４には２枚の羽根板４５が装着されており、両羽根板４５は共通の始動口ソレノイドに連結されている。これら両羽根板４５は始動口ソレノイドが断電されることに基づいて垂直な縮小状態になるものであり、図４は両羽根板４５を縮小状態で示している。これら両羽根板４５の縮小状態では両羽根板４５相互間の隙間が上始動口４３によって上方から閉鎖され、遊技球が上始動口４３内のみに入賞することが許容される。これら両羽根板４５は始動口ソレノイドが通電されることに基づいて水平な拡大状態に回動するものであり、両羽根板４５の拡大状態では下始動口４４の左右両側部を落下する遊技球が羽根板４５によって捕捉されることに基づいて下始動口４４内に入賞可能になる。
【００１６】
遊技盤３０には遊技領域３７内に位置して特別電動入賞装置４６が固定されている。この特別電動入賞装置４６は前面が開放する特別入賞口および扉４７を有するものであり、扉４７は特別入賞口ソレノイドに連結されている。この扉４７は特別入賞口ソレノイドの断電状態で垂直な閉鎖状態になることに基づいて特別入賞口の前面を遊技球が入賞不能に閉鎖するものであり、図４は扉４７を閉鎖状態で示している。この扉４７は特別入賞口ソレノイドの通電状態で前方へ水平に倒れた開放状態に回動するものであり、扉４７の開放状態では遊技球が扉４７に乗って特別入賞口内に転がり込むことが許容される。この特別入賞口内にはカウントセンサが装着されており、カウントセンサは遊技球が特別入賞口内に入賞したことを検出してカウント信号を出力する。
【００１７】
遊技盤３０には、図３に示すように、始動口取付孔４８および特別入賞口取付孔４９が形成されており、始動口取付孔４８内には電動始動装置４２の樋５０が挿入され、特別入賞口取付孔４９内には特別電動入賞装置４６の樋５１が挿入されている。樋５０は電動始動装置４２の上始動口４３および下始動口４４の双方に接続されたものであり、上始動口４３内に入賞した遊技球および下始動口４４内に入賞した遊技球はいずれも樋５０に沿って後方へ転がる。樋５１は特別電動入賞装置４６の特別入賞口に接続されたものであり、特別入賞口内に入賞した遊技球は樋５１に沿って後方へ転がる。遊技盤３０には特別入賞口取付孔４９の下方に位置してアウト孔５２が形成されている。このアウト孔５２は、図４に示すように、内レール３２の最低部に配置されたものであり、上始動口４３と下始動口４４と特別入賞口のいずれにも入賞しなかった遊技球は内レール３４に沿ってアウト孔５２内に転がり込む。
２．裏樋６０の説明
裏樋６０は、図３に示すように、下部裏樋６１と左部裏樋６２と右部裏樋６３と上部裏樋６４の４部材を相互に四角枠状に組合せることから構成されたものであり、後方から裏樋６０を通して遊技盤３０に複数のネジを螺合することで遊技盤３０の後面に直接的に接合されている。この裏樋６０の下部裏樋６１には始動口挿入孔６５および特別入賞口挿入孔６６が形成されており、電動始動装置４２の樋５０は始動口挿入孔６５内に挿入され、特別電動入賞装置４６の樋５１は特別入賞口挿入孔６６内に挿入されている。この下部裏樋６１にはアウト口６７が形成されている。このアウト口６７は前後面が開口する筒状をなすものであり、遊技盤３０のアウト孔５２の内周面に嵌合されている。
【００１８】
下部裏樋６１には左下厚さ調整部６８および右下厚さ調整部６９が形成されている。これら左下厚さ調整部６８および右下厚さ調整部６９は遊技盤３０の前後方向の厚さ寸法を厚く調整するものであり、左下厚さ調整部６８は遊技盤３０と共に左下の支え部５および左下のストッパ８相互間で挟持され、右下厚さ調整部６９は遊技盤３０と共に右下の支え部５および右下のストッパ８相互間で挟持される。上部裏樋６４には左上厚さ調整部７０および右上厚さ調整部７１が形成されている。これら左上厚さ調整部７０および右上厚さ調整部７１は遊技盤３０の前後方向の厚さ寸法を厚く調整するものであり、左上厚さ調整部７０は遊技盤３０と共に左上の支え部５および左上のストッパ６相互間で挟持され、右上厚さ調整部７１は遊技盤３０と共に右上の支え部５および右上のストッパ６相互間で挟持される。
３．液晶ステー８０の詳細構成
液晶ステー８０は下部ステー８１と左部ステー８２と右部ステー８３と上部ステー８４を有する矩形枠状をなすものであり、下部ステー８１と左部ステー８２と右部ステー８３と上部ステー８４は単一物として一体成形されている。この液晶ステー８０は後方から液晶ステー８０を通して裏樋６０に複数のネジを螺合することで裏樋６０の後面に直接的に接合されたものであり、裏樋６０と共にスペーサ１６０を構成している。このスペーサ１６０は枠部材に相当するものであり、下横部１６１と左縦部１６２と右縦部１６３と上横部１６４を有している。下横部１６１は下部裏樋６１および下部ステー８１から構成されたものであり、左縦部１６２は左部裏樋６２および左部ステー８２から構成されたものであり、右縦部１６３は右部裏樋６３および右部ステー８３から構成されたものであり、上横部１６４は上部裏樋６４および上部ステー８４から構成されたものである。
３．下意匠板９０の説明
下意匠板９０は前方から下意匠板９０を通して下部裏樋６１に複数のネジを螺合することで下部裏樋６１の前面に直接的に接合されたものであり、遊技盤３０と下部裏樋６１との間に配置されている。この下意匠板９０の前面には絵柄が印刷されており、下意匠板９０の絵柄は前方から遊技盤３０を通して視覚的に認識可能にされている。この下意匠板９０には始動口挿入孔９１と特別入賞口挿入孔９２と切欠部９３が形成されており、電動始動装置４２の樋５０は始動口挿入孔９１内を通して下部裏樋６１の始動口挿入孔６５内に挿入され、特別電動入賞装置４６の樋５１は特別入賞口挿入孔９２内を通して下部裏樋６１の特別入賞口挿入孔６６内に挿入され、下部裏樋６１のアウト口６７は切欠部９３を通して遊技盤３０のアウト孔５２内に嵌合されている。
４．上意匠板１００の説明
上意匠板１００は前方から上意匠板１００を通して上部裏樋６４に複数のネジを螺合することで上部裏樋６４の前面に直接的に接合されたものであり、遊技盤３０と上部裏樋６４との間に配置されている。この上意匠板１００の前面には絵柄が印刷されており、上意匠板１００の絵柄は前方から遊技盤３０を通して視覚的に認識可能にされている。
５．裏樋カバー１１０の説明
裏樋カバー１１０は後方から裏樋カバー１１０を通して下部裏樋６１に複数のネジを螺合することで下部裏樋６１の後面に直接的に接合されたものであり、裏樋カバー１１０には球排出路が形成されている。この球排出路は電動始動装置４２の樋５０から落下した遊技球および特別電動入賞装置４６の樋５１から落下した遊技球が侵入するものであり、樋５０から落下した遊技球および樋５１から落下した遊技球は球排出路を通して裏樋カバー１１０の外部に排出される。
６．表示器ケース１２０の説明
表示器ケース１２０は下板部１２１と左板部１２２と右板部１２３と上板部１２４と後板部１２５を有する矩形皿状をなすものであり、下板部１２１と左板部１２２と右板部１２３と上板部１２４と後板部１２５の間には空間状の表示器収納部１２６が形成されている。この表示器ケース１２０の下板部１２１には２枚の下プレート１２７が形成され、表示器ケース１２０の上板部１２４には１枚の上プレート１２８が形成されており、各下プレート１２７には後方から複数のネジが挿入され、上プレート１２８には後方から複数のネジが挿入されている。各下プレート１２７に挿入された複数のネジは下部裏樋６１に螺合され、上プレート１２８に挿入された複数のネジは上部裏樋６４に螺合されており、表示器ケース１２０は裏樋６０を介して遊技盤３０の後面に間接的に接合され、液晶ステー８０は表示器ケース１２０の表示器収納部１２６内に収納されている。
７．装飾図柄表示器１３０の説明
装飾図柄表示器１３０は表示器ケース１２０の表示器収納部１２６内に収納されたものであり、液晶画面１３１および液晶画面１３１を保持する矩形状の画面フレーム１３２を有している。この画面フレーム１３２は液晶ステー８０と表示器ケース１２０の後板部１２５との間で挟持されており、装飾図柄表示器１３０は遊技盤３０に裏樋６０および液晶ステー８０を介して間接的に接合されている。この装飾図柄表示器１３０の画面フレーム１３２には外部から表示器ケース１２０を通して複数のネジが螺合されており、装飾図柄表示器１３０は複数のネジを介して表示器ケース１２０に固定されている。
【００１９】
装飾図柄表示器１３０の液晶画面１３１は下部裏樋６１と左部裏樋６２と右部裏樋６３と上部裏樋６４で囲まれた内部空間および下部ステー８１と左部ステー８２と右部ステー８３と上部ステー８４で囲まれた内部空間の後方に配置されており、下部裏樋６１および下部ステー８１のそれぞれは液晶画面１３１の下端面に沿って横方向へ延び、左部裏樋６２および左部ステー８２のそれぞれは液晶画面１３１の左側面に沿って縦方向へ延び、右部裏樋６３および右部ステー８３のそれぞれは液晶画面１３１の右側面に沿って縦方向へ延び、上部裏樋６４および上部ステー８４のそれぞれは液晶画面１３１の上端面に沿って横方向へ延びている。この液晶画面１３１は表示画面に相当するものであり、前方から遊技盤３０と裏樋６０の内部空間と液晶ステー８０の内部空間を通して全体が視覚的に認識可能にされている。この液晶画面１３１は装飾図柄が表示されるものである。この装飾図柄は大当りおよび外れを識別する識別図柄として機能するものであり、左列の図柄要素と中列の図柄要素と右列の図柄要素から構成されている。
８．換気機構１４０の説明
右部裏樋６３には、図５に示すように、上下方向の中央部に位置してケーシング１４１が形成されている。このケーシング１４１は前面が開口する凹状をなすものであり、ケーシング１４１の前面は遊技盤３０によって閉鎖されている。
【００２０】
右部裏樋６３には前面が開口する水平な吸気溝部１４２および前面が開口する水平な排気溝部１４４が同一高さに位置して形成されており、吸気溝部１４２の前面および排気溝部１４４の前面はいずれも遊技盤３０によって閉鎖されている。吸気溝部１４２は吸気通路に相当するものであり、ケーシング１４１の内部空間は遊技盤３０と裏樋６０と液晶ステー８０と装飾図柄表示器１３０によって囲まれた閉鎖空間１４３に吸気溝部１４２を介して接続されている。排気溝部１４４は排気通路に相当するものであり、ケーシング１４１の内部空間は排気溝部１４４を介して閉鎖空間１４３の外部に接続されている。左部裏樋６２には、図６に示すように、前面が開口する水平な換気溝部１４５が形成されている。この換気溝部１４５は吸気溝部１４２および排気溝部１４４の双方と同一高さに配置されたものであり、換気溝部１４５の前面は遊技盤３０によって閉鎖されている。この換気溝部１４５は換気口に相当するものであり、閉鎖空間１４３は換気溝部１４５を介して外部に接続されている。
【００２１】
右部ステー８３には、図５に示すように、凹状の収納部１４６が形成されている。この収納部１４６内にはファンモータ１４７が収納されており、ファンモータ１４７の回転軸１４８はケーシング１４１内に挿入されている。この回転軸１４８の前端部にはケーシング１４１内に位置してファン１４９が固定されている。このファン１４９は、図４に示すように、前方から遊技盤３０を通して視覚的に認識可能にされたものであり、ファンモータ１４７が駆動することに基づいて閉鎖空間１４３内の空気を吸気溝部１４２から排気溝部１４４を通して閉鎖空間１４３の外部に排出する。すると、閉鎖空間１４３の内圧が閉鎖空間１４３の外圧に比べて低くなるので、外気が喚気溝部１４５から閉鎖空間１４３内に吸引される。即ち、ファンモータ１４７およびファン１４９は外気を閉鎖空間１４３の内部を通して閉鎖空間１４３の外部に排出する換気運転を行うものであり、換気装置１５０（図５参照）として機能する。
【００２２】
左部裏樋６２には、図６に示すように、換気溝部１４５内に位置してフィルタ１５８が固定されている。このフィルタ１５８は空気が流通可能なものであり、換気装置１５０の運転時および運転停止時に閉鎖空間１４３の外部から換気溝部１４５を通って閉鎖空間１４３の内部に侵入しようとする埃を捕捉する。右部裏樋６３には、図５に示すように、排気溝部１４４内に位置してフィルタ１５９が固定されている。このフィルタ１５９は空気が流通可能なものであり、換気装置１５０の運転停止時に閉鎖空間１４３の外部から閉鎖空間１４３の内部に排気溝部１４４を通って侵入しようとする埃を捕捉する。尚、フィルタ１５８およびフィルタ１５９のそれぞれは金属や不織布や紙やガラス繊維等の濾材あるいはスポンジから構成されている。
【００２３】
閉鎖空間１４３の内部には、図４に示すように、内気温センサ１５１が収納されている。この内気温センサ１５１は下部裏樋６１に固定されたものであり、閉鎖空間１４３の内気温に応じた電気信号Ｔｉを出力する。閉鎖空間１４３の外部には外気温センサ１５２が配置されており、外気温センサ１５２は閉鎖空間１４３の外気温Ｔｏに応じた温度信号を出力する。この外気温センサ１５２は銘板台５３に固定されたものであり、ガラス窓１７および遊技盤３０相互間に形成された空間部内に配置され、閉鎖空間１４３の外気温Ｔｏに応じた温度信号としてガラス窓１７および遊技盤３０相互間に形成された空間部の温度に応じた温度信号を出力する。
【００２４】
内気温センサ１５１および外気温センサ１５２は、図７に示すように、制御手段に相当するモータ制御装置１５３に接続されている。このモータ制御装置１５３は電源回路１５４と演算回路１５５と比較回路１５６とドライブ回路１５７を有するものであり、電源回路１５４はパチンコホールの島電源Ｖｉに基づいてファンモータ１４７の駆動電源Ｖｏを生成する。演算回路１５５は内気温センサ１５１から出力される温度信号Ｔｉと外気温センサ１５２から出力される温度信号Ｔｏとの差分ΔＴ（＝Ｔｉ−Ｔｏ）を演算するものであり、比較回路１５６は演算回路１５５の演算結果ΔＴを基準信号Ｔｂと比較する。この比較回路１５６は「ΔＴ≧Ｔｂ」を検出することに基づいて換気信号Ｈを出力し、「ΔＴ＜Ｔｂ」を検出することに基づいて換気信号Ｈを出力停止状態にするものであり、ドライブ回路１５７は比較回路１５６が換気信号Ｈを出力することに基づいてファンモータ１４７に駆動電源Ｖｏを供給し、比較回路１５６が換気信号Ｈを出力停止状態にすることに基づいて駆動電源Ｖｏの供給を停止する。即ち、モータ制御装置１５３は閉鎖空間１４３の内気温度Ｔｉが外気温度Ｔｏに比べて設定値Ｔｂ以上に高いことを検出することに基づいて閉鎖空間１４３の換気運転を自動的に始めるものであり、閉鎖空間１４３の内気温度Ｔｉが外気温度Ｔｏに比べて設定値Ｔｂ以上に高くないことを検出することに基づいて換気運転を自動的に終える。
９．遊技盤ユニット２０の装着状態について
遊技盤ユニット２０は上皿板１１および窓枠１６の双方が開放された状態で前方から内枠２の遊技盤収納部４内に収納されるものである。この遊技盤ユニット２０の収納状態では裏樋６０の左下厚さ調整部６８と右下厚さ調整部６９と左上厚さ調整部７０と右上厚さ調整部７１のそれぞれが内枠２の支え部５によって後方から支えられ、左下厚さ調整部６８が遊技盤３０と共に前方のストッパ８と後方の支え部５との間で挟持され、右下厚さ調整部６９が遊技盤３０と共に前方のストッパ８と後方の支え部５との間で挟持されており、残りの各ストッパ６が遊技盤３０に前方から重なるロック状態に回動操作されたときには左上厚さ調整部７０が遊技盤３０と共に前方のストッパ６と後方の支え部５との間で挟持され、右上厚さ調整部７１が遊技盤３０と共に前方のストッパ６と後方の支え部５との間で挟持される。遊技盤ユニット２０は上皿板１１および窓枠１６の双方が開放された状態で内枠２の遊技盤収納部４内から取外されるものである。この場合には両ストッパ６を遊技盤３０の前方から外れるアンロック状態に回動操作し、左上厚さ調整部７０と右上厚さ調整部７１のそれぞれを遊技盤３０と共に挟持解除状態にする。
１０．遊技機能の説明
装飾図柄表示器１３０の液晶画面１３１には、図８の（ａ）に示すように、左列の図柄要素と中列の図柄要素と右列の図柄要素のそれぞれとして「１」「２」「３」「４」「５」「６」「７」「８」のいずれかの数字が変動停止状態で表示されており、遊技球が電動始動装置４２の上始動口４３内および下始動口４４内のいずれかに入賞したときには、図８の（ｂ）に示すように、３列の図柄要素が変動停止状態から変動状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は装飾図柄を構成するものであり、装飾図柄は（１）左列の図柄要素（２）右列の図柄要素（３）中列の図柄要素の順序で変動停止する。
【００２５】
左列の図柄要素および右列の図柄要素の両者が変動停止した状態でリーチの組合せになったときには複数種の演出映像が選択的に表示される。このリーチの組合せとは、図８の（ｃ）に示すように、左列の図柄要素および右列の図柄要素が相互に同一な組合せを称するものであり、演出映像とは最終の中列の図柄要素が左列の図柄要素および右列の図柄要素と同一の数字で変動停止するか否かを演出する物語調の映像を称する。図８の（ｄ）〜（ｆ）は演出映像の一例を示すものであり、殿が風呂の熱さに耐えられるか否かで中列の図柄要素が左列の図柄要素および右列の図柄要素と同一の数字で変動停止するか否かが演出される。
【００２６】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。大当り遊技は特別電動入賞装置４６の扉４７を開放し、特別電動入賞装置４６の特別入賞口内に遊技球が入賞することを許容する遊技者有利の状態を発生させるものであり、扉４７は特別入賞口内に上限値（例えば１０個）の遊技球が入賞する個数条件または開放時間が上限値（例えば３０ｓｅｃ）に達する時間条件が満足されるまで開放状態に保持される。この扉４７の個数条件および時間条件を基準とする開閉動作は大当りラウンドと称されるものであり、大当りラウンドは固定的な設定回数（例えば１５回）だけ繰返される。
【００２７】
上記実施例１によれば次の効果を奏する。
閉鎖空間１４３の外部から閉鎖空間１４３の内部を通って閉鎖空間１４３の外部に流れる換気流を生成する換気装置１５０を設けた。このため、装飾図柄表示器１３０で発生する熱が換気流に乗って閉鎖空間１４３の内部から外部に排出されるので、遊技盤３０の後面で結露が発生し難くなる。しかも、閉鎖空間１４３の内部に侵入する埃が換気流に乗って閉鎖空間１４３の内部から外部に排出されるので、装飾図柄表示器１３０の液晶画面１３１に埃が付着し難くなる。従って、装飾図柄表示器１３０の液晶画面１３１の視認性が結露の影響および埃の影響で低下することを共に防止できる。さらに、遊技盤３０が装飾図柄表示器１３０からの熱で加熱されることに基づいて歪むことがなくなるので、遊技球の転動状態が遊技盤３０の歪みの影響で変わることを防止できる。
【００２８】
閉鎖空間１４３の内気温を検出する内気温センサ１５１および閉鎖空間１４３の外気温を検出する外気温センサ１５２を設け、モータ制御装置１５３が内気温センサ１５１の検出結果Ｔｉおよび外気温センサ１５２の検出結果Ｔｏの双方に基づいてファンモータ１４７を運転制御する構成とした。このため、閉鎖空間１４３の内気温を結露が発生しない温度帯域に自動的に調節することができるので、ファンモータ１４７を手動操作でオンオフすることで閉鎖空間１４３の内気温を結露が発生しない温度帯域に調節する手間が不要になる。
【００２９】
ケーシング１４１をスペーサ１６０の右縦部１６３に設け、換気溝部１４５をスペーサ１６０の左縦部１６２に設けた。このため、換気溝部１４５からケーシング１４１の排気溝部１４４に至る空気の流通経路が直線的になるので、換気流の流れが円滑になる。しかも、左縦部１６２の左方および右縦部１６３の右方のそれぞれにはパチンコ遊技機を構成する構成部品が少ないので、空気をケーシング１４１の排気溝部１４４内から直線的な経路で閉鎖空間１４３の外部に排出し、空気を閉鎖空間１４３の外部から直線的な経路で換気溝部１４５内に吸引することができる。このため、換気流の流れが一層円滑になるので、総じて、閉鎖空間１４３をファンモータ１４７の少ない運転時間で結露が発生しない温度帯域に換気することが可能になる。
【００３０】
換気溝部１４５内にフィルタ１５８を収納したので、換気装置１５０の運転停止時および運転時のそれぞれに換気溝部１４５から閉鎖空間１４３内に埃が侵入し難くなる。しかも、排気溝部１４４内にフィルタ１５９を収納した。このため、換気装置１５０の運転停止時および運転時のそれぞれに排気溝部１４４から閉鎖空間１４３内に埃が侵入し難くなるので、総じて装飾図柄表示器１３０の液晶画面１３１の視認性が埃の影響で低下することを一層確実に抑えることができる。しかも、換気装置１５０の運転時に排気溝部１４４から外部に埃を含まない清浄な空気を排出することができるので、遊技盤ユニット２０の後方に配置された電子部品に埃がかかることを防止することができる。
【実施例２】
【００３１】
遊技盤３０の後面には、図９に示すように、閉鎖空間１４３内に位置して縦長な通路部材１７０が固定されている。この通路部材１７０は透明な合成樹脂を材料に形成されたものであり、前面が開口している。この通路部材１７０の前面は遊技盤３０によって閉鎖されており、遊技盤３０の後面と通路部材１７０との間には遊技球が転動可能なワープルート１７１が形成されている。遊技盤３０には貫通孔状の入口１７２および貫通孔状の出口１７３が形成されている。入口１７２はワープルート１７１の上端部に通じるものであり、遊技領域３７内を転動する遊技球は入口１７２を通してワープルート１７１内に侵入可能にされている。出口１７３はワープルート１７１の下端部に通じるものであり、ワープルート１７１内に侵入した遊技球は出口１７３から遊技領域３７内に放出される。
【００３２】
上記実施例２によれば、閉鎖空間１４３の外部から閉鎖空間１４３の内部を通って閉鎖空間１４３の外部に流れる換気流を生成する換気装置１５０を設けた。このため、遊技盤３０が装飾図柄表示器１３０で発生する熱で加熱されることに基づいて歪むことがなくなるので、通路部材１７０と遊技盤３０との間に隙間が生じることを防止できる。従って、埃が入口１７２および出口１７３から隙間を通って閉鎖空間１４３内に侵入することがなくなるので、装飾図柄表示器１３０の液晶画面１３１の視認性が埃の影響で低下することを防止できる。しかも、装飾図柄表示器１３０で発生する熱が隙間から入口１７２および出口１７３を通って閉鎖空間１４３の外部に放出されることがなくなるので、窓枠１６のガラス窓１７で結露が発生することを防止できる。
【００３３】
上記実施例１〜実施例２においては、ケーシング１４１をスペーサ１６０の左縦部１６２に設け、換気溝部１４５をスペーサ１６０の右縦部１６３に設けても良い。あるいは、ケーシング１４１を遊技盤３０のうち左縦部１６２の前方に設け、換気溝部１４５を遊技盤３０のうち右縦部１６３の前方に設けても良い。あるいは、ケーシング１４１を遊技盤３０のうち右縦部１６３の前方に設け、換気溝部１４５を遊技盤３０のうち左縦部１６２の前方に設けても良い。これら各構成の場合、閉鎖空間１４３を前方から見た場合にケーシング１４１の排気溝部１４４および換気溝部１４５が閉鎖空間１４３の中心点に対して点対称となるように排気溝部１４４および換気溝部１４５を配置することが好ましい。
【００３４】
上記実施例１〜実施例２においては、モータ制御装置１５３をマイクロコンピュータから構成しても良い。
上記実施例１〜実施例２においては、パチンコ遊技機の電源が投入されることに電気的に連動してファンモータ１４７に駆動電源Ｖｏを自動的に供給し、パチンコ遊技機の電源が遮断されることに電気的に連動して駆動電源Ｖｏの供給を自動的に停止し、パチンコ遊技機の電源投入状態では換気運転を継続的に行う構成としても良い。この場合、内気温センサ１５１と外気温センサ１５２と演算回路１５５と比較回路１５６が不要になるので、電気的な構成が簡単になる。
【００３５】
上記実施例１〜実施例２においては、ケーシング１４１を右部裏樋６３の上端部に設け、換気溝部１４５を左部裏樋６２の上端部に設けたり、あるいは、ケーシング１４１を左部裏樋６２の上端部に設け、換気溝部１４５を右部裏樋６３の上端部に設けても良い。これら各構成の場合、換気装置１５０の運転停止時に閉鎖空間１４３内の上端部に自然対流する熱気を換気装置１５０の運転時に効率的に排気することができる。
【００３６】
上記実施例１〜実施例２においては、ケーシング１４１を右部裏樋６３の下端部に設け、換気溝部１４５を左部裏樋６２の下端部に設けたり、あるいは、ケーシング１４１を左部裏樋６２の下端部に設け、換気溝部１４５を右部裏樋６３の下端部に設けても良い。これら各構成の場合、微細な埃がフィルタ１５８およびフィルタ１５９を通過して閉鎖空間１４３内に侵入して換気装置１５０の運転停止時に閉鎖空間１４３内の下端部に溜まった場合に微細な埃を換気装置１５０の運転時に効率的に排出することができる。
【００３７】
上記実施例１〜実施例２においては、換気装置１５０を装飾図柄表示器１３０の表示内容に連動して動作させても良い。この場合、リーチ状態でファンモータ１４７を運転してファン１４９を回転させることでリーチ状態を視覚的に演出することが好ましい。
【００３８】
上記実施例１〜実施例２においては、遊技球を外部に排出する排出口（例えば始動口挿入孔６５）および閉鎖空間１４３を相互に接続する連通孔を設け、当該連通孔を閉鎖空間１４３の外部から内部に空気を取込む換気口として使用しても良い。
【図面の簡単な説明】
【００３９】
【図１】実施例１を示す図（パチンコ遊技機の全体構成を示す斜視図）
【図２】遊技盤ユニットおよび内枠を分解状態で示す斜視図
【図３】遊技盤ユニットを分解状態で示す斜視図
【図４】遊技盤を示す前面図
【図５】右部裏樋のケーシングを示す図
【図６】左部裏樋の吸気溝部を示す図
【図７】モータ制御装置の電気的構成を示す図
【図８】図柄遊技の映像の一例を示す図
【図９】実施例２を示す図（ワープルートを示す断面図）
【符号の説明】
【００４０】
１７はガラス窓、３０は遊技盤、１３０は装飾図柄表示器、１３１は液晶画面、１４１はケーシング、１４２は吸気溝部、１４３は閉鎖空間、１４４は排気溝部、１４５は換気溝部、１４７はファンモータ、１４９はファン、１５０は換気装置、１５１は内気温センサ、１５２は外気温センサ、１５３はモータ制御装置、１６０はスペーサ、１６１は下横部、１６２は左縦部、１６３は右縦部、１６４は上横部を示している。
【図１】
2007190246.tif 000003
【図２】
2007190246.tif 000004
【図３】
2007190246.tif 000005
【図４】
2007190246.tif 000006
【図５】
2007190246.tif 000007
【図６】
2007190246.tif 000008
【図７】
2007190246.tif 000009
【図８】
2007190246.tif 000010
【図９】
2007190246.tif 000011